(57)【要約】【課題】携帯端末を所持する所持者の不在時に着信した相手先に、所持者の所在を知らせることができる固定型電話装置並びに、着信応答システム、着信応答方法、着信応答機能を発揮させるプログラム及び、着信応答機能を発揮させるプログラムを記録したコンピュータ読み取り可能な情報記録媒体を提供する。【解決手段】携帯端末１１を所持する所持者９の不在時の着信に対してメッセージを流して応答する固定型電話装置３，３ａであって、携帯端末１１の所在を捜索する捜索手段４７と、携帯端末１１の所持者９の不在時の着信に対して、メッセージに携帯端末１１の所在を含めた位置付メッセージを流して応答する応答手段４３とを備える。【選択図】        図１
2004200769.tif 000002
【特許請求の範囲】
【請求項１】
携帯端末を所持する所持者の不在時の着信に対してメッセージを流して応答する固定型電話装置であって、
前記携帯端末の所在を捜索する捜索手段と、
前記携帯端末の所持者の不在時の着信に対して前記携帯端末の所在を含めた位置付メッセージを流して応答する応答手段と
を備えることを特徴とする固定型電話装置。
【請求項２】
前記位置付メッセージを流して応答すべき相手先を設定する相手先設定手段を備え、
前記応答手段は、前記相手先設定手段に予め登録された前記相手先からの着信に対してのみ前記位置付メッセージを流して応答する構成であることを特徴とする請求項１に記載の固定型電話装置。
【請求項３】
前記応答手段は、前記相手先設定手段に予め登録された前記相手先以外のその他の相手先からの着信に対しては、前記携帯端末の所在を含めない前記メッセージを流して応答する構成であることを特徴とする請求項２に記載の固定型電話装置。
【請求項４】
前記応答手段は、前記携帯端末の所在に対応する住所を含めた前記位置付メッセージを流して応答する構成としたことを特徴とする請求項１乃至請求項３のいずれかに記載の固定型電話装置。
【請求項５】
前記携帯端末は、前記所持者としての前記固定型電話装置の家主が携帯する携帯型電話装置であることを特徴とする請求項１乃至請求項４のいずれかに記載の固定型電話装置。
【請求項６】
前記携帯端末は、汎地球測位システムを利用した測位手段を備えることを特徴とする請求項１乃至請求項５のいずれかに記載の固定型電話装置。
【請求項７】
所持者が所持する携帯端末の所在を捜索する捜索手段及び、前記携帯端末の所持者の不在時の着信に対して前記携帯端末の所在を含めた位置付メッセージを流して応答する応答手段を備える固定型電話装置と、
前記捜索手段からの指示に従って、前記携帯端末の所在を測位する位置情報管理サーバと
を備えることを特徴とする着信応答システム。
【請求項８】
所持者が所持する携帯端末の所在に関する捜索指示に従って、位置情報管理サーバが前記携帯端末の所在を測位する捜索ステップと、
前記携帯端末の所持者の不在時における固定型電話装置への着信に対して、前記携帯端末の所在を含めた位置付メッセージを流して応答する応答ステップと
を有することを特徴とする着信応答方法。
【請求項９】
携帯端末の所持者の固定型電話装置にて、前記携帯端末の所在を捜索する捜索手段と、前記携帯端末の所持者の不在時の着信に対して前記携帯端末の所在を含めた位置付メッセージを流して応答する応答手段として、
位置情報管理サーバにて、前記捜索手段からの指示に従って、前記携帯端末の所在を測位する測位手段と
して機能させることを特徴とする着信応答機能を発揮させるプログラム。
【請求項１０】
携帯端末の所持者の固定型電話装置にて、前記携帯端末の所在を捜索する捜索手段と、前記携帯端末の所持者の不在時の着信に対して前記携帯端末の所在を含めた位置付メッセージを流して応答する応答手段として、
位置情報管理サーバにて、前記捜索手段からの指示に従って、前記携帯端末の所在を測位する測位手段と
して機能させることを特徴とする着信応答機能を発揮させるプログラムを記録したコンピュータ読み取り可能な情報記録媒体。
【発明の詳細な説明】
【０００１】
【発明の属する技術分野】
本発明は、携帯端末を所持する所持者の不在時の着信に対してメッセージを流して応答する固定型電話装置並びに、着信応答システム、着信応答方法、着信応答機能を発揮させるプログラム及び、着信応答機能を発揮させるプログラムを記録したコンピュータ読み取り可能な情報記録媒体に関するものである。
【０００２】
【従来の技術】
近年の技術の発達によって、固定型電話装置のみならず携帯型電話装置を用いて通話がなされている。このような固定型電話装置においては、従来から家主の留守時に所定の留守番用メッセージを流して応答する所謂留守番機能を備えている機種が多い。この留守番機能は、家主の留守時に着信のあった相手先がメッセージ等を録音して残すことができるという特徴を有する。また、近年、携帯型電話装置においても、着信に対して応答できない場合に、所定のメッセージを流すと共に着信した相手先によって録音されたメッセージを残すことができる留守番機能に類似する機能を備える機種が多い。
【０００３】
近年、このような留守番機能に類似する様々な技術が存在している。この従来技術の一例としては、利用者端末、移動端末、位置情報制御センタ、基地局で構成された移動端末位置情報通知システムが挙げられる。この移動端末位置情報通知システムでは、利用者端末から位置情報通知用端末番号、位置情報通知エリア、位置情報連絡先番号、サービス有効時間を指定し、移動端末の位置を取得する構成となっている（例えば特許文献１参照）。
【０００４】
【特許文献１】
特開２０００−１２５３４２号公報  （第１図）
【０００５】
【発明が解決しようとする課題】
しかしながら、このような従来技術では、利用者端末としての携帯型電話装置において位置情報を交換してエリア進入等を通知することができるものの、固定型電話装置においてその家主が現在どこにいるかを、着信した相手先に通知することができなかった。これは、固定型電話装置は、家主の居所等に固定されて使用されるものであり、移動させて使用することは考えにくいという理由によるものである。
【０００６】
本発明の目的は、上記課題を解消して、携帯端末の所持者の不在時に着信した相手先に、所持者の所在を知らせることができる固定型電話装置並びに、着信応答システム、着信応答方法、着信応答機能を発揮させるプログラム及び、着信応答機能を発揮させるプログラムを記録したコンピュータ読み取り可能な情報記録媒体を提供することである。
【０００７】
【課題を解決するための手段】
本願発明の固定型電話装置は、携帯端末を所持する所持者の不在時の着信に対してメッセージを流して応答する固定型電話装置であって、前記携帯端末の所在を捜索する捜索手段と、前記携帯端末の所持者の不在時の着信に対して前記携帯端末の所在を含めた位置付メッセージを流して応答する応答手段とを備えることを特徴とする固定型電話装置である。
上記構成によれば、所持者の不在時に固定型電話装置に着信があると、所持者が所持する携帯端末の所在を流して応答することで、不在時にかけてきた相手先に所持者の所在を知らせることができる。
【０００８】
上記構成において、前記位置付メッセージを流して応答すべき相手先を設定する相手先設定手段を備え、前記応答手段は、前記相手先設定手段に予め登録された前記相手先からの着信に対してのみ前記位置付メッセージを流して応答する構成であるのが望ましい。
上記構成によれば、予め登録された相手先に対してのみ、携帯端末の所持者位置を知らせることができる。
【０００９】
上記構成において、前記応答手段は、前記相手先設定手段に予め登録された前記相手先以外のその他の相手先からの着信に対しては、前記携帯端末の所在を含めない前記メッセージを流して応答する構成であるのが望ましい。
上記構成によれば、予め登録された相手先以外の他の相手先には、携帯端末の所持者の所在を知らせず、例えば通常の留守番用メッセージを流して応答することができる。
【００１０】
上記構成において、前記応答手段は、前記携帯端末の所在に対応する住所を含めた前記位置付メッセージを流して応答する構成とするのが望ましい。
上記構成によれば、予め登録された相手先に対してのみ、携帯端末が位置する住所を知らせることができる。
【００１１】
上記構成において、前記携帯端末は、前記所持者としての前記固定型電話装置の家主が携帯する携帯型電話装置であるのが望ましい。
上記構成によれば、例えば固定型電話装置の家主が不在時に固定型電話装置に着信があると、家主が所持する携帯型電話装置の所在を流して応答することで、不在時にかけてきた相手先に家主の所在を知らせることができる。
【００１２】
上記構成において、前記携帯端末は、汎地球測位システムを利用した測位手段を備えるのが望ましい。
上記構成によれば、例えば固定型電話装置の家主のような所持者の不在時に固定型電話装置に着信があると、その家主等が所持する携帯端末の所在を流して応答することで、不在時にかけてきた相手先に家主等の所在を知らせることができる。
【００１３】
本願発明の着信応答システムは、所持者が所持する携帯端末の所在を捜索する捜索手段及び、前記携帯端末の所持者の不在時の着信に対して前記携帯端末の所在を含めた位置付メッセージを流して応答する応答手段を備える固定型電話装置と、前記捜索手段からの指示に従って、前記携帯端末の所在を測位する位置情報管理サーバとを備えることを特徴とする着信応答システムである。
上記構成によれば、所持者の不在時に固定型電話装置に着信があると、所持者が所持する携帯端末の所在を流して応答することで、不在時にかけてきた相手先に所持者の所在を知らせることができる。
【００１４】
本願発明の着信応答方法は、所持者が所持する携帯端末の所在に関する捜索指示に従って、位置情報管理サーバが前記携帯端末の所在を測位する捜索ステップと、前記携帯端末の所持者の不在時における固定型電話装置への着信に対して、前記携帯端末の所在を含めた位置付メッセージを流して応答する応答ステップとを有することを特徴とする着信応答方法である。
【００１５】
本願発明の着信応答機能を発揮させるプログラムは、携帯端末の所持者の固定型電話装置にて、前記携帯端末の所在を捜索する捜索手段と、前記携帯端末の所持者の不在時の着信に対して前記携帯端末の所在を含めた位置付メッセージを流して応答する応答手段として、位置情報管理サーバにて、前記捜索手段からの指示に従って、前記携帯端末の所在を測位する測位手段として機能させることを特徴とする着信応答機能を発揮させるプログラムである。
【００１６】
本願発明の着信応答機能を発揮させるプログラムを記録したコンピュータ読み取り可能な情報記録媒体は、携帯端末の所持者の固定型電話装置にて、前記携帯端末の所在を捜索する捜索手段と、前記携帯端末の所持者の不在時の着信に対して前記携帯端末の所在を含めた位置付メッセージを流して応答する応答手段として、位置情報管理サーバにて、前記捜索手段からの指示に従って、前記携帯端末の所在を測位する測位手段として機能させることを特徴とする着信応答機能を発揮させるプログラムを記録したコンピュータ読み取り可能な情報記録媒体である。
【００１７】
【発明の実施の形態】
以下、本発明の好適な実施の形態を図面に基づいて説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
＜第１実施形態＞
図１は、本発明の第１実施形態としての固定型電話装置が適用された留守番電話機３を含む着信応答システム１の構成例を示すシステム構成図である。
着信応答システム１は、留守番電話機３、移動端末１１、発信端末７を備える。また、この着信応答システム１は、移動端末１１の現在地を特定するための位置情報管理サーバ５を備えていてもよい。
【００１９】
留守番電話機３は、所謂固定型電話装置であり、発信者７ａが行った発信端末７による発信を着信する機能を有する。この留守番電話機３は、移動端末１１を所持する所持者としての家主９が不在時に着信した相手先に対し、メッセージを流して応答する留守番応答機能を有する。尚、所持者は、家主９のみならず、その家主９の家族等の他の者であっても良いことはいうまでもない。以下、所持者の一例として家主９を挙げる。
【００２０】
この留守番応答機能としては、家主９が不在時に着信した発信者７ａに対して、後述するように例えば「ただいま留守にしています。家主は現在渋谷区にいます。」のような音声案内を流す機能を有する。また、この留守番応答機能は、留守時に着信した発信者７ａのメッセージを記録して残す機能を有する。この留守番電話機３は、電話回線網を経由して或いは図示しない有線或いは無線のネットワークによって位置情報管理サーバ５と接続されている。この図示しないネットワークは、ＤＳＬ（Ｄｉｇｉｔａｌ  Ｓｕｂｓｃｒｉｂｅｒ  Ｌｉｎｅ）のような回線によって構成されている。
【００２１】
また、この位置情報管理サーバ５は、対象者としての家主９が所持する移動端末１１の位置を捜索し、移動端末１１の位置を登録する機能を有する。そして、位置情報管理サーバ５は、捜索した移動端末１１の位置を留守番電話機３に通知する機能を有する。ここで、着信応答システム１において特徴的なのは、家主９が不在時に発信者７ａから着信があった場合に、この発信者７ａに対して家主９の所在を知らせる機能を有することである。
【００２２】
図２は、図１の留守番電話機３の構成例を示すハードウェア構成図である。
留守番電話機３は、ＣＰＵ（Ｃｅｎｔｒａｌ  Ｐｒｏｃｅｓｓｉｎｇ  Ｕｎｉｔ）１３、表示部１５、揮発性メモリ１７、ダイヤルボタン２１、通信インターフェース２５、通信プロトコルスタックＩＣ（Ｉｎｔｅｇｒａｔｅｄ  Ｃｉｒｃｕｉｔ）２７、不揮発性メモリ２９及び受話器３１を備えている。
【００２３】
ＣＰＵ１３は、中央演算処理機能を有し、揮発性メモリ１７を作業領域として、着信応答機能を発揮させるプログラム１９等を動作させる機能を有する。また、このＣＰＵ１３は、バス１４に接続された各モジュールを制御する機能を有する。表示部１５は、例えば液晶表示装置であり、ＣＰＵ１３の制御によって所定のオブジェクトを表示する機能を有する。ダイヤルボタン２１は、留守番電話機３を用いて発信する場合や着信を受ける場合に操作するボタンである。
【００２４】
通信インターフェース２５は、留守番電話機３と外部の端末装置との通信のインターフェースを行う機能を有する。この通信インターフェース２５は、例えばネットワークインターフェースカードである。また、通信プロトコルスタックＩＣ２７は、例えばＯＳＩ（Ｏｐｅｎ  Ｓｙｓｔｅｍ  Ｉｎｔｅｒｃｏｎｎｅｃｔｉｏｎ）参照モデルにおける各層で協調してネットワークの機能を提供するプロトコル群を制御する機能を有する。
【００２５】
つまり、通信プロトコルスタックＩＣ２７は、外部の端末同士が通信してデータを交換するためのベースとなる機能を発揮する。この通信プロトコルスタックＩＣ２７は、例えばＴＣＰ／ＩＰ（Ｔｒａｎｓｍｉｓｓｏｎ  Ｃｏｎｔｒｏｌ  Ｐｒｏｔｏｃｏｌ／Ｉｎｔｅｒｎｅｔ  Ｐｒｏｔｏｃｏｌ）に対応したモジュールである。また、不揮発性メモリ２９は、例えば書き換え可能なＲＯＭ（Ｒｅａｄ  Ｏｎｌｙ  Ｍｅｍｏｒｙ）である。受話器３１は、留守番電話機３を用いて通話を行う場合の受話機能を有する。この受話器３１は、例えばスピーカやマイクを備えている。
【００２６】
図３は、図１の留守番電話機３のソフトウェア構成例を示すブロック図である。
留守番電話機３は、留守番電話応答モジュール４３及び捜索モジュール４７を備え、好ましくは通信モジュール４１、住所変換モジュール４５、住所変換テーブル５１、電話番号管理テーブル５３及び案内音声データ５５を有する。
【００２７】
通信モジュール４１は、留守番電話機３の外部の端末とデータ通信を行う機能を有する。この通信モジュール４１は、図１の位置情報管理サーバ５とデータ通信を行う機能を有する。図３の通信モジュール４１は、例えば上記ＤＳＬに対応するインターフェース機能を備えている。留守番電話応答モジュール４３は、例えば留守番電話機３の家主である移動端末１１の所持者の不在時に着信があった場合に、上記留守番応答機能や着信応答機能を発揮する。この留守番電話応答モジュール４３は、案内音声データ５５を読み込み、着信のあった発信元に対して案内音声データ５５を再生する機能を有する。
【００２８】
この案内音声データ５５は、例えば「ただいま留守にしています。（ＭＳＧ１）」、「家主は現在（ＭＳＧ２）」、「にいます。（ＭＳＧ３）」、及び「発信音の後にメッセージを残して下さい。（ＭＳＧ４）」である。この留守番電話応答モジュール４３は、案内音声データ５５の各メッセージＭＳＧ１〜ＭＳＧ４のいずれか、またはこれらいずれかの組み合わせを再生する機能を有する。この留守番電話応答モジュール４３は、通常の着信の場合にはメッセージＭＳＧ１及びメッセージＭＳＧ４（通常の留守番用メッセージ）を流す構成となっている。また、留守番電話応答モジュール４３は、メッセージＭＳＧ１及びＭＳＧ４等を流した後、発信者の音声を録音する機能を有していてもよい。
【００２９】
また、この留守番電話応答モジュール４３は、電話番号管理テーブル５３を参照し、着信があると位置通知すべき電話番号に該当するかどうかを判断する機能を有する。具体的には、留守番電話応答モジュール４３は、着信者が番号通知機能により相手先から電話番号を通知してきた場合にはこれによって判断し、番号通知を行っていない場合には家主９の位置を通知すべき電話番号と判断しない。つまり、留守番電話応答モジュール４３は、着信者の電話番号が電話番号管理テーブル５３に予め登録された電話番号であるか否かを判断する。
【００３０】
また、留守番電話応答モジュール４３は、着信者が予め登録された電話番号である場合には、捜索モジュール４７に対して捜索要求を行う。この捜索モジュール４７は、通信モジュール４１を制御して、図１の位置情報管理サーバ５に対して移動端末１１の所在、つまり家主９の現在地を捜索するように要求する構成となっている。
【００３１】
図１の位置情報管理サーバ５では、例えば定期的に家主９が所有する移動端末１１の現在地を取得しており、留守番電話機３の要求に応じてこの移動端末１１の現在地を提供する機能を有する。この位置情報管理サーバ５は、要求に応じて留守番電話機３に対して移動端末１１の所持者としての家主９の現在地を通知する機能を有する。
【００３２】
位置通知を受けた図３の留守番電話機３では、捜索モジュール４７が通信モジュール４１を制御して家主９の捜索結果を取得する。また、捜索モジュール４７は、住所変換モジュール４５に対して捜索結果としての位置情報を引き渡す。この住所変換モジュール４５は、住所変換テーブル５１を用いて位置情報を住所に変換する機能を有する。つまり、住所変換テーブル５１は、例えば緯度や経度である位置情報に対応した住所に関する情報を管理している。そして、住所変換モジュール４５は、変換した住所情報を捜索モジュール４７に引き渡す。捜索モジュール４７は、留守番電話応答モジュール４３に対してこの住所情報を引き渡す。
【００３３】
留守番電話応答モジュール４３は、この住所情報を混ぜたメッセージを作成し、着信者に対して応答する機能を有する。ここで例えば住所情報が東京都渋谷区である場合には、留守番電話応答モジュール４３は、案内音声データ５５におけるメッセージＭＳＧ１及びメッセージＭＳＧ３を取得する。そして留守番電話応答モジュール４３は、これらのメッセージＭＳＧ１，ＭＳＧ３及び住所情報を組み合わせて、例えば「ただいま留守にしています。家主は、現在渋谷区にいます。」というメッセージを作成し、着信者である図１の発信者７ａが操作する発信端末７に対して流す機能を有する。
【００３４】
図４は、図１の移動端末１１のハードウェア構成例を示すブロック図である。移動端末１１は、ＣＰＵ１１ａ、ＲＡＭ１１ｂ、ＲＯＭ１１ｃ、操作部１１ｄ及び表示部１１ｇを備え、好ましくはＧＰＳ信号受信部１１ｈを備えている。
ＣＰＵ１１ａは、中央演算処理部であり、ＲＡＭ１１ｂを作業領域として、例えば着信応答機能を発揮させるプログラムの一部を動作させたり、バス１１ｉに接続されたＲＯＭ１１ｃ等を制御している。このＲＯＭ１１ｃは、読み出し専用の情報記録媒体であり、書き換え可能な不揮発性メモリであるフラッシュＲＯＭも含んでいても良い。
【００３５】
ＲＡＭ１１ｂは、プログラムを実行するための作業エリアとしての機能を有する。操作部１１ｄは、表示部１１ｇの画面に表示されたボタン等のオブジェクトを操作するためのマウス、タブレット装置、キーボード等の操作手段である。表示部１１ｇは、文字や図形を表示する機能を有する表示手段であり、例えばＬＣＤ（Ｌｉｑｕｉｄ  Ｃｒｙｓｔａｌ  Ｄｉｓｐｌａｙ）やＥＬ（Ｅｌｅｃｔｒｏ
Ｌｕｍｉｎｅｓｃｅｎｃｅ）である。
【００３６】
ＧＰＳ（Ｇｌｏｂａｌ  Ｐｏｓｉｔｉｏｎｉｎｇ  Ｓｙｓｔｅｍ）信号受信部１１ｈは、衛星からのＧＰＳ信号を受信する機能を有し、このＧＰＳ信号に基づいて現在位置を把握することができる。尚、移動端末１１がＰＨＳ（Ｐｅｒｓｏｎａｌ  Ｈａｎｄｙｐｈｏｎｅ  Ｓｙｓｔｅｍ）やページャ等のような携帯型電話装置である場合にはこのＧＰＳ信号受信部１１ｈを省略し、移動端末１１を中継する中継基地局によって移動端末１１の位置情報が取得されるようにしても良いことはいうまでもない。
【００３７】
着信応答システム１は以上のような構成であり、次に図１〜図４を参照しつつその動作例としての着信応答方法の一例について説明する。
図５及び図６は、それぞれ家主９の不在時に着信があった場合の応答処理の一例を示すフローチャートである。
この不在時の応答例では、図１に示すように留守番電話機３の家主９が移動端末１１を所持しつつ外出している間に、発信端末７を操作する発信者７ａが留守番電話機３に着信した場合を挙げる。
【００３８】
図５のステップＳＴ１では、図１の家主９に対して連絡を取ろうとする発信者７ａが、発信端末７を操作し留守番電話機３に対して発信を行う。ステップＳＴ１では発信者７ａの発信を留守番電話機３が着信する。留守番電話機３は、着信によって所定の発信音を出力し、家主９が受話器３１を手にとって応答するか否かを待つ。
【００３９】
次にステップＳＴ２では、留守番電話機３が、例えば一定時間以上着信音を出力しつつ、家主９が不在であるか否かを判断する。不在でない場合には、ステップＳＴ３に進む。このステップＳＴ３では、家主９が留守番電話機３の受話器３１を取って着信に対して応答し、終了する（ステップＳＴ４）。一方、ステップＳＴ２において不在であると確認されると、留守番電話機３は図３に示す留守番電話応答モジュール４３を起動する。尚、留守番電話応答モジュール４３は、常時起動されているようにしても良いことはいうまでもない。
【００４０】
次にステップＳＴ５では、この留守番電話応答モジュール４３が音声案内処理を開始する。次にステップＳＴ６では、留守番電話応答モジュール４３が電話番号管理テーブル５３から位置通知すべき電話番号を取得する。そして留守番電話応答モジュール４３は、この着信のあった電話番号が登録済みの電話番号であるか否かを判断する。登録済みでない電話番号である場合、或いは番号発信を行っていない場合には、ステップＳＴ７に進む。
【００４１】
このステップＳＴ７では、留守番電話応答モジュール４３がデフォルトの不在案内を行う。具体的には留守番電話応答モジュール４３は、案内音声データ５５のうちのメッセージＭＳＧ１及びＭＳＧ４を取得して、例えば「ただいま留守にしています。発信音の後にメッセージを残して下さい。」を着信先に対して流し終了する（ステップＳＴ４）。一方、ステップＳＴ６において登録済みの電話番号である場合には、ステップＳＴ９に進む。
【００４２】
次にステップＳＴ９では、図３の捜索モジュール４７が通信モジュール４１を制御し、図１の位置情報管理サーバ５に接続する処理を行う。ステップＳＴ１１では、例えば位置情報管理サーバ５から、対象者としての家主９が所持する移動端末１１に対して捜索処理を行う。この移動端末１１は、例えば汎地球測位システム（ＧＰＳ）を利用した測位手段を備える携帯型電話装置である。
【００４３】
図６のステップＳＴ１２では、図１の移動端末１１が位置情報管理サーバ５の位置検索処理に応答し、位置情報管理サーバ５が移動端末１１の位置情報（所在）としての現在地を登録する。次にステップＳＴ１３では、位置情報管理サーバ５から、留守番電話機３に対して移動端末１１の現在地が通知される。留守番電話機３では、図３に示す捜索モジュール４７が通信モジュール４１を制御し、捜索結果を取得する。
【００４４】
次にステップＳＴ１４では、捜索モジュール４７が位置情報を住所変換モジュール４５に引き渡し、住所変換処理を行う。具体的には、住所変換モジュール４５が、住所変換テーブル５１に対して位置情報を検索キーとして住所情報を取得する処理を行う。そして住所変換モジュール４５は、検索した住所情報を捜索モジュール４７に引き渡す。
【００４５】
ここでステップＳＴ１５では、図３の住所変換モジュール４５によって発番認証レベルがチェックされる。ここでいう発番認証レベルとは、位置情報に対応する住所情報のランクをいい、例えば位置情報に該当する住所情報の細かさ（広域・中域・詳細のいずれか）をいう。そして、住所変換モジュール４５は、好ましくは上記住所情報を音声情報に変換して管理しているのが望ましい。この捜索モジュール４７は、住所情報を留守番電話応答モジュール４３に対して引き渡す。ここで、この住所情報に対応した音声情報としては、例えば「渋谷区」であるものとする。また、この住所情報に対応した音声情報は、上記発番認証レベルに合わせて住所情報を音声変換した音声データである。
【００４６】
次に図６のステップＳＴ１７では、図３の留守番電話応答モジュール４３が、この音声変換された住所情報を用いて、例えば案内音声データ５５に含まれるメッセージＭＳＧ１、ＭＳＧ２、ＭＳＧ３を取得する。そして、留守番電話応答モジュール４３は、これらのメッセージＭＳＧ１等及び音声情報に基づいて、例えば「ただいま留守にしています。家主は現在渋谷区にいます。」という位置付メッセージを作成する。そして、留守番電話応答モジュール４３は、図１の着信元としての図１の発信端末７の発信者７ａに対してこの作成した位置付メッセージを流して応答する。尚、図６のステップＳＴ１８に示すように、発信者７ａに対して返信した結果を所定のメモリに保存しておくようにしてもよいことはいうまでもない。
【００４７】
また、図３の留守番電話機３は、図３において点線で示した捜索対象管理テーブル４９を備えていてもよい。この捜索対象管理テーブル４９は、着信者があった場合に、捜索すべき対象者を管理するためのテーブルである。留守番電話応答モジュール４３は、着信があった場合に捜索対象管理テーブル４９から捜索端末ＩＤ及び所有者を取得し、着信者である発信者７ａの発信端末７に対して、捜索端末ＩＤに該当する移動端末１１の所持者の名前を提供する。
【００４８】
そして、図１の発信端末７の表示部には、例えば留守番電話機３の家主９の家族のような捜索対象者が表示され、発信者７ａが、いずれかの捜索対象者を選択する（図５のステップＳＴ８）。そして、発信者７ａが選択した結果は、留守番電話応答モジュール４３が取得し、留守番電話応答モジュール４３が、捜索モジュール４７に対して捜索要求を行う。そして捜索モジュール４７が、図１の位置情報管理サーバ５に対して捜索対象者の捜索要求を行う（ステップＳＴ１０）。このようにすると、発信者７ａは、家主９のみならず、家主９の家族等についても所在を知ることができる。
【００４９】
以上説明したように、本発明の第１実施形態によれば、移動端末１１の所持者としての家主９等の不在時に着信した相手先としての発信者７ａに対して、家主９の所在を知らせることができる。しかも、着信応答システム１では、家主９等の不在時に、着信のあったすべての相手先に家主９等の所在を通知する代わりに、例えば予め登録された電話番号の発信端末７の発信者７ａに対してのみ家主９等の所在を知らせることもできる。
【００５０】
つまり、この着信応答システム１では、位置付メッセージを流して応答すべき相手先を設定する相手先設定手段としての電話番号管理テーブル５３を備えており、留守番電話応答モジュール４３が、予め登録された相手先からの着信に対してのみメッセージを流して応答することができる。このようにすると家主９等は、予め登録された相手先としての発信者７ａに対してのみ、移動端末１１の所持者の位置を知らせることができる。
【００５１】
そして、この留守番電話応答モジュール４３は、予め登録された相手先としての発信端末７以外のその他の発信端末からの着信に対しては、家主９等の所在を含めないメッセージを流して応答するようにすることも可能である。このようにすると、予め登録された相手先以外の相手先には、移動端末１１の所持者の所在を知らせず、例えば通常の留守番用メッセージを流して応答することができる。
【００５２】
＜第２実施形態＞
図７及び図８は、それぞれ本発明の第２実施形態としての固定型電話装置が適応された留守番電話機３を含む着信応答システム１ａの動作例を示すフローチャートである。
第２実施形態としての着信応答システム１ａでは、図１〜図６において第１実施形態としての着信応答システム１と同一の符号を付した箇所はほぼ同じ構成であるから、以下主として異なる点を中心として説明する。
【００５３】
この着信応答システム１ａでは、第１実施形態における機能に加えて或いは単独機能として、意図したタイミングにおいて予め設置された移動端末１１の所在を取得する機能を発揮する。この所在としては留守番電話機３の家主９の所在であってもよい。
第１実施形態としての着信応答システム１では、不在時の着信時において家主９の現在地を取得していたが、第２実施形態としての着信応答システム１ａでは、任意のタイミングで家主９等の現在地を取得することができる。この第２実施形態では、留守番電話機３ａが図２において点線で示すように、捜索ボタン２３を備えていることが特徴である。この捜索ボタン２３はバス１４に接続されており、捜索ボタン２３を操作するとＣＰＵ１３が検出できる構成となっている。
【００５４】
捜索処理を開始しようとすると（ステップＳＴ２１）、留守番電話機３ａを操作可能な者が捜索ボタン２３を押す（ステップＳＴ２２）。次にステップＳＴ２３では、図２の留守番電話機３ａの表示部１５に、例えば家主９のような捜索対象が表示されており、これらの捜索対象のいずれかの選択を行う。次にステップＳＴ２４では、捜索ボタン２３を再度押す。
【００５５】
このように再度捜索ボタン２３押されると、ステップＳＴ９では捜索モジュール４７がこれを検出し、位置情報管理サーバ５に対して接続開始処理を行う。そして、図７におけるステップＳＴ１０及びステップＳＴ１１、並びに図８に示すステップＳＴ１２、ステップＳＴ１３及びステップＳＴ１４のように、留守番電話機３ａが移動端末１１の位置を取得する。次に図８のステップＳＴ３１では、留守番電話機３ａの表示部１５に住所を表示する。
【００５６】
本発明の第２実施形態によれば、第１実施形態とほぼ同様の効果を発揮することができるとともに、これに加えて、留守番電話機３ａを操作し得る者、例えば家主９の家族が家主９の所在を把握することができる。尚、捜索対象としては、家主９の家族に限られず、いずれかの移動端末１１を所持している者であってもよい。
【００５７】
本発明は、上記実施の形態に限定されず、特許請求の範囲を逸脱しない範囲で種々の変更を行うことができる。例えば上記実施形態の各構成は、その一部を省略したり、上記とは異なるように任意に組み合わせることができる。また例えば図１における留守番電話機３，３ａにより、位置情報管理サーバ５の間における図示しないネットワークは、上述のようにＤＳＬ回線をベースとしたデータ通信に限定されず、ＩＳＤＮ回線や光ネットワーク回線或いは携帯型電話装置のパケット通信や固定型電話装置で提供されている、東日本電信電話株式会社（ＮＴＴ東日本）や西日本電信電話株式会社（ＮＴＴ西日本）より提供されているＬモードを採用してもよい。
【００５８】
また、位置情報管理サーバ５及び移動端末１１は、それぞれ同様な機能を有する様々な測位装置や端末を使用することができる。例えば移動端末１１の位置を特定するのは、位置情報管理サーバ５によって行われず、その他の測位手段によって測位される構成としてもよいことはいうまでもない。この移動端末１１は、例えば所持者としての家主９が携帯する携帯型電話装置であってもよい。
【００５９】
また、移動端末１１の測位は、例えば株式会社ＮＴＴＤｏＣｏＭｏ社のＤＬＰ（Ｄｏｃｏｍｏ  Ｌｏｃａｔｉｏｎ  Ｐｌａｔｆｏｒｍ）サービスを利用するようにしてもよい。また、上記実施形態において、位置情報管理サーバ５及び留守番電話機３，３ａの間における図示しないネットワークでは、例えばインターネットを採用することができるが、このインターネットに接続するためのプロバイダは特に限定されず、任意のプロバイダを採用することができる。
【００６０】
また、上記実施形態では、図２の留守番電話機３，３ａにおける通信プロトコルスタックＩＣ２７は、例えばＴＣＰ／ＩＰを採用しているが、これに限らずＵＤＰ（Ｕｓｅｒ  Ｄａｔａｇｒａｍ  Ｐｒｏｔｏｃｏｌ）のようなプロトコルスタックを実装し、ホスト間ネットワーク通信を行うようにしてもよいことはいうまでもない。また、上記実施形態における捜索対象の設定や環境設定を行う手段としては、留守番電話機３，３ａに付属する表示部１５を参照しながら設定することができるユーザーインターフェースを採用するようにしてもよいことはいうまでもない。
【００６１】
着信応答システム１，１ａを動作させる上述の不在時の着信に対してメッセージを流して応答する着信応答機能を発揮させるプログラムは、上述のようにコンピュータ等の電子機器にインストールされて動作している形態のみならず、例えばフレキシブルディスク、ＣＤ（Ｃｏｍｐａｃｔ  Ｄｉｓｃ：商標名）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔｅｒｂｌｅ）又はＤＶＤ（Ｄｉｇｉｔａｌ  Ｖｅｒｓａｔｉｌｅ  Ｄｉｓｃ）等の情報記録媒体に格納されて流通されている形態でも良い。また、この着信応答機能を発揮させるプログラムは、上記情報記録媒体に格納されている形態のみならず、無線又は有線によってデータ通信を行うネットワーク等の伝送媒体を経由してユーザのコンピュータ等の電子機器にダウンロードされる形態であっても良いことはいうまでもない。
【図面の簡単な説明】
【図１】着信応答システムの構成例を示すシステム構成図。
【図２】図１の留守番電話機のハードウェア構成例を示すブロック図。
【図３】図１の留守番電話機のソフトウェア構成例を示すブロック図。
【図４】図１の移動端末のハードウェア構成例を示すブロック図。
【図５】留守番電話機の動作例を示すフローチャート。
【図６】留守番電話機の動作例を示すフローチャート。
【図７】留守番電話機の動作例を示すフローチャート。
【図８】留守番電話機の動作例を示すフローチャート。
【符号の説明】
１、１ａ  着信応答システム、３，３ａ  留守番電話機（固定型電話装置）、５位置情報管理サーバ（測位手段）、７  発信端末、７ａ  発信者、９  家主（携帯端末の所持者）、１１  移動端末（携帯端末）、１１ｈ  ＧＰＳ信号受信部、４３  留守番電話応答モジュール（応答手段）、４７  捜索モジュール（捜索手段）、５３  電話番号管理テーブル（相手先設定手段）
【図１】
2004200769.tif 000003
【図２】
2004200769.tif 000004
【図３】
2004200769.tif 000005
【図４】
2004200769.tif 000006
【図５】
2004200769.tif 000007
【図６】
2004200769.tif 000008
【図７】
2004200769.tif 000009
【図８】
2004200769.tif 000010